(57)【特許請求の範囲】
【請求項１】
内視鏡が着脱自在に装着されて前記内視鏡からの光学像を伝達する第１の接続部と、前記内視鏡からの光学像を光電変換する撮像素子と、この撮像素子により光電変換された電気信号を伝達する第２の接続部とを有する撮像手段と、
前記第２の接続部により前記撮像手段が着脱自在に装着される装着部と、
前記装着部が配設され、この装着部によって前記撮像手段および前記内視鏡をそれぞれ保持する可動アーム部と、
前記可動アーム部の内部に配置され、前記撮像素子によって得られた電気信号を伝送する信号伝送手段と
を具備することを特徴とする内視鏡保持装置。
【請求項２】
前記装着部および前記信号伝送手段は、複数の種類の撮像手段に対応する信号路を備えていることを特徴とする請求項１に記載の内視鏡保持装置。
【請求項３】
前記可動アーム部は、前記装着部に配設された湾曲部を備えていることを特徴とする請求項１もしくは請求項２に記載の内視鏡保持装置。
【請求項４】
前記撮像手段は、前記可動アームから前記内視鏡に照明光を供給するライトガイドコネクタ手段を備えていることを特徴とする請求項１ないし請求項３のいずれか１に記載の内視鏡保持装置。
【発明の詳細な説明】
【０００１】
【産業上の利用分野】
本発明は、患者の体腔内に挿入された内視鏡を術者に代わって保持する内視鏡保持装置に関する。
【０００２】
【従来の技術】
腹腔鏡等の内視鏡を使用した手術では、一度に複数の処置具や内視鏡を使用する場合が多い。こうした内視鏡下手術では、前記複数の医療器具が繁雑な配置状態に置かれ、なおかつ、内視鏡や処置具を手で直接に保持して作業が行なわれるため、その作業性が非常に悪いものであった。
【０００３】
例えば、腹腔鏡で腹腔内の患部を観察している間は、操作者が手でその腹腔鏡を保持し続け、腹腔鏡で見る方向を変えたい場合には、同じく手でその腹腔鏡の向きを変えるようにしているが、手術時には、処置をする操作者とは別に腹腔鏡等を保持するためのスタッフが常にベッドサイドにいなければならない。すなわち、狭い手術室において多くの人数を必要とし、これが医療機器の操作性を悪化させることとなる場合があった。
【０００４】
そこで、近年、患者の体腔内に挿入された内視鏡を術者に代わって保持する内視鏡保持装置が開発され、この内視鏡保持装置によって手術時における操作性の向上と手術スタッフの人数の削減を図っている。
【０００５】
ところが、こうした内視鏡保持装置においても、１つの問題がある。すなわち、内視鏡保持装置に内視鏡を固定して使用する場合には、実際に内視鏡にライトガイドやＴＶカメラ等を設けなければならず、内視鏡に接続されるケーブル（信号ケーブルやライトガイドケーブル等）は多数に及ぶ。したがって、ケーブルのセッティング作業が繁雑になるとともに、内視鏡から延びるこれらのケーブルが内視鏡の操作性を悪化させることとなる。
【０００６】
そのため、特開平６ー６３００３号公報では、こうした多数のケーブルを内視鏡保持装置の保持アームに内装することにより、内視鏡のセッティング作業を容易にして、前述した問題を解決しようとしている。
【０００７】
【発明が解決しようとする課題】
ところで、特開平６ー６３００３号公報のように、多数のケーブルを内視鏡保持装置の保持アームに内装すれば、確かに、内視鏡のセッティング作業は容易になる。
【０００８】
しかしながら、この構成のものは、撮像素子を含む電子撮像系も全て保持アームに内蔵されているため、ＴＶカメラが故障した際にこれを修理する作業が大変困難であり、また、ＴＶカメラを別の種類のものと交換することもできなかった。
【０００９】
さらに、ＣＣＤの技術進歩に対応して内視鏡保持装置の性能を向上させようとしても、前述した構造特性から、装置全体にわたる改造が必要となるため、コスト等の点で問題となり、思うような性能を得ることができない恨みがあった。
【００１０】
本発明は上記事情に着目してなされたものであり、その目的とするところは、内視鏡のセッティング作業が容易で、且つ、内蔵された電子撮像系の修理交換が容易な内視鏡保持装置を提供することにある。
【００１１】
【課題を解決するための手段】
上記課題を解決するために、本発明の内視鏡保持装置は、内視鏡が着脱自在に装着されて前記内視鏡からの光学像を伝達する第１の接続部と、前記内視鏡からの光学像を光電変換する撮像素子と、この撮像素子により光電変換された電気信号を伝達する第２の接続部とを有する撮像手段と、前記第２の接続部により前記撮像手段が着脱自在に装着される装着部と、前記装着部が配設され、この装着部によって前記撮像手段および前記内視鏡をそれぞれ保持する可動アーム部と、前記可動アーム部の内部に配置され、前記撮像素子によって得られた電気信号を伝送する信号伝送手段とを具備している。
【００１２】
【作用】
このような構成を有する内視鏡保持装置における撮像手段は、内視鏡を接続する第１の接続部と、装着部に接続される第２の接続部との２つの接続部を有する。このため、撮像手段は、内視鏡を着脱可能であるとともに、可動アーム部に配設された装着部にも着脱可能である。したがって、撮像素子が故障したり機能不調状態に陥った場合に、撮像素子の修理交換を容易に行なうことができる。このとき、撮像素子の技術進歩に対応して内視鏡保持装置の性能を向上させることができ、所望の性能を容易かつ低コストで得ることができる。
さらに、信号伝送手段を可動アームに内装したため、内視鏡のセッティング作業が容易となる。
【００１３】
また、好ましくは、前記装着部および前記信号伝送手段は、複数の種類の撮像手段に対応する信号路を備えている。
また、好ましくは、前記可動アーム部は、前記装着部に配設された湾曲部を備えている。
また、好ましくは、前記撮像手段は、前記可動アームから前記内視鏡に照明光を供給するライトガイドコネクタ手段を備えている。
【００１４】
【実施例】
以下、図面を参照しつつ本発明の実施例について説明する。図１は本発明の第１の実施例を示すものである。図示するように、本実施例の内視鏡保持装置１は、これを手術ベッドのサイドレール（図示しない）に着脱自在に接続可能な取付け部５０を有している。取付け部５０には、前記ベッドサイドレールに引掛けられるフック状の係合部５０ａと、ベッドサイドレールの取り付け面に圧接可能な取付けノブ２とが設けられている。したがって、係合部５０ａをベッドサイドレールに引掛けた状態で、取付けノブ２を締め付けて、ベッドサイドレールの取り付け面に取付けノブ２の先端当接面を圧接させれば、取付け部５０をベッドサイドレールに固定することができるようになっている。
【００１５】
取付け部５０から延びる基台５１上には垂直ロッド４が立設されている。この垂直ロッド４は、基台５１に穿設された取付け孔５に対して挿脱自在であり、その外周面に形成された複数の環状溝６…のいずれか１つを固定ノブ７の先端と係合させることによってその高さを段階的に変えられるようになっている。この場合、固定ノブ７は、その先端が取付け孔５に対して突没自在となるように基台５１に対して取り付けられている。
【００１６】
また、垂直ロッド４は、固定ノブ７との係合部を環状の溝６…としたことにより、垂直な第１の回転軸Ｏ１  を中心に回動することができる。この場合、垂直ロッド４の回転力量は第３の調整ダイヤル２４によって調整可能である。
【００１７】
垂直ロッド４の上端部には内視鏡を保持する平行四辺形のリンク機構からなるリンクアーム部３の支持部材５３が連結されている。
支持部材５３には、垂直方向に延設された旋回垂直リンク１０の下端部と水平方向に延設された旋回水平リンク９の一端部とがそれぞれ、第２の回転軸Ｏ２  を中心に回動可能に支持されている。また、支持部材５３には第２の回転軸Ｏ２  上に第２調整ダイヤル２３が設けられており、この第２調整ダイヤル２３によってリンクアーム部３の作動力量を調整できるようになっている。
【００１８】
また、旋回垂直リンク１０の上端部には、旋回水平リンク９と平行に配置されたケーブル内蔵水平リンク１３の途中部が、関節部５６を介して、第２の回転軸Ｏ２  と平行な第３の回転軸Ｏ３  を中心に回動可能に支持されている。
【００１９】
さらに、旋回水平リンク９の他端部とケーブル内蔵水平リンク１３の一端部は、第２及び第３の回転軸Ｏ２  ，Ｏ３  と平行な第４及び第５の回転軸Ｏ４  ，Ｏ５  を中心に回動可能な関節部５７，５８を介して、旋回垂直リンク１０と平行に配置されたケーブル内蔵垂直リンク１４により互いに平行となるように接続されている。つまり、旋回水平リンク９と、旋回垂直リンク１０と、ケーブル内蔵水平リンク１３と、ケーブル内蔵垂直リンク１４とによって、変形可能な平行四辺形のリンク機構としてのリンクアーム部３が構成されている。
【００２０】
また、ケーブル内蔵水平リンク１３における関節部５７側の端部とは逆側の端部は、関節部５６を経て外側に延出して先端アーム部１５を形成している。この先端アーム部１５の先端側には、湾曲部１６を介して、ＣＣＤ及び光学レンズ系を備えるカメラユニット１７と、内視鏡取付部１８とが取り付けられている。
【００２１】
カメラユニット１７は固定リング２５を介して湾曲部１６に着脱自在に取り付けられている。また、内視鏡取付部１８には内視鏡７１が着脱自在に取り付けられるようになっている。したがって、このような構成によれば、内視鏡７１は、内視鏡取付部１８に取り付けられた状態で、湾曲部１６により任意方向に向きを変えることが可能である。
【００２２】
先端アーム部１５はその中心軸Ｏ６  を中心に回転可能であり、それに要する力量は第１の調整ダイヤル２２でＯリング等のバイアス手段の潰し量を加減することによって調整可能となっている。なお、前述した第２調整ダイヤル２３と第３調整ダイヤル２４もこれと同様な調整機構になっている。また、各調整ダイヤル２２，２３，２４の力量調整可能幅は、アームやリンクに必要な動きに合わせて設定されている。
【００２３】
また、平行四辺形リンク機構としてのリンクアーム部３には、内視鏡７１側とおおよそのバランスをとるため、２つのカウンタウェイト１１，１２が配設されている。このうち、第１のカウンタウェイト１１は、旋回水平リンク９の水平シャフト２０に沿って移動可能に取り付けられている。また、第２のカウンタウェイト１２は、旋回垂直リンク１０と同軸で且つこの旋回垂直リンク１０側とは反対側に設けられた垂直シャフト２１に沿って移動可能に取り付けられている。
【００２４】
内視鏡からの映像信号を伝送するためにカメラユニット１７のＣＣＤから延びる信号ケーブル５８は、先端アーム部１５の内部を通って、ケーブル内蔵水平リンク１３の内部及びケーブル内蔵垂直リンク１４の内部に導かれて、リンクアーム部３の外部に延出されている。リンクアーム部３の外部に延出された信号ケーブル５８にはカメラコネクタ１９が設けられている。このカメラコネクタ１９は、モニタ６２に接続されたＴＶ−ＣＣＵ６１に対して着脱自在に接続できるようになっている。また、内視鏡７１には図示しない光源装置からの照明光を伝送するライトガイド９０が接続されている。
【００２５】
このような構成では、内視鏡取付部１８に内視鏡７１を取付けるだけで、内視鏡によって得られた観察像がカメラユニット１７のＣＣＤから延びる信号ケーブル５８を介して画像処理される。すなわち、信号ケーブル５８を内視鏡保持装置１に内装することで、内視鏡７１のセッティング作業を容易にしている。
【００２６】
次に、図２を参照しつつ固定リング２５付近の構造について説明する。
図示のように、固定リング２５はカメラユニット１７の本体２６に対して回転自在に取り付けられている。固定リング２５の内面には追い込みネジ９８が切ってある。一方、カメラユニット１７が取付けられる先端アーム部１５のアーム体１５ａの端部外周面には固定リング２５の追い込みネジ９８と螺合するネジ９９が切ってある。
【００２７】
カメラユニット本体２６の先端フランジ部２７と固定リング２５との間にはカラー２９，２９を介してＯリング２８が介装されている。このＯリング２８は、アーム体１５ａにカメラユニット本体２６を捩じ込んだ際に潰されて、その反発力によってネジ９８，９９同志が緩むことを防止する。
【００２８】
なお、カラー２９，２９は摺動用のワッシャーであり、また、先端アーム部１５のアーム体１５ａの外周に装着されたＯリング３０は、アーム体１５ａと固定リング２５との間の水密を保つためのものである。
【００２９】
カメラユニット１７からの映像信号はオス／メスのビデオコネクタ３１，３２同志の接続によりカメラコネクタ１９まで伝送される。すなわち、カメラユニット１７のＣＣＤから延びる信号ケーブル５８がカメラユニット本体２６の接続端部に設けられたビデオコネクタ３１に電気的に接続され、また、カメラコネクタ１９から延びる信号ケーブル５８がアーム体１５ａの接続端部に設けられたビデオコネクタ３２に電気的に接続されており、これらビデオコネクタ３１，３２同志の接続により互いの信号ケーブル５８が電気的に接続されてカメラユニット１７からの映像信号がカメラコネクタ１９まで伝送される。
【００３０】
この場合、コネクタ３１，３２同志の接続の際の位置合わせは、例えばビデオコネクタ３１に設けられたピン３３をビデオコネクタ３２に設けられた溝３４に係合させることによって行なわれる。この係合によって、ビデオコネクタ３１，３２のコネクタピン同士が正確に対応する。
【００３１】
なお、ビデオコネクタ３１，３２には、カメラユニット１７を別種のものと交換（例えば単板ＴＶカメラから３板ＴＶカメラに交換）する際に必要となる信号路を全て含んだ数が予め設けられてある。また、機能拡張のために予備の信号路も設けられてある。
【００３２】
以上説明したように、本実施例の内視鏡保持装置１は、アーム体１５ａから固定リング２５を取り外すだけで内視鏡保持装置１からカメラユニット１７を分離することができるため、撮像系が故障したり機能不調状態に陥った場合に、カメラユニット１７の修理交換を容易に行なうことができる。
【００３３】
また、カメラユニット１７の交換が容易に行なえることができるため、ＣＣＤの技術進歩に対応して内視鏡保持装置の性能を向上させることができ、所望の性能を容易かつ低コストで得ることができる。
【００３４】
さらに、信号ケーブル５８を内視鏡保持装置１に内装したため、内視鏡７１のセッティング作業が容易となる。
また、カメラユニット１７は気密構成であり、内視鏡７１内部を通じてエアリーク路があっても腹腔外へ漏れることはない。
【００３５】
なお、本実施例の内視鏡保持装置１を使用する場合は、装置全体に滅菌カバーを被せることが望ましい。これによれば、滅菌カバーを交換することで清掃作業を排除することができる。
【００３６】
また、リンクアーム部３とその周辺の構造は、前述した構造のものに限らず、例えば、以下のような構造であっても良い。
（１）垂直ロッド４と先端アーム部１５とを含む複数本のアームをそれぞれボールジョイントで繋ぎ、ジョイントの重さ出しをできるようにした構造。
（２）カウンターウェイト１１，１２の代わりに、ばねによってアーム間に内視鏡側と釣り合う反力を与えるようにした構造。
（３）アーム全体が湾曲可能な１本の管によって形成されている構造。
【００３７】
また、先端アーム部１５をケーブル内蔵水平リンク１３から取り外すことができるように構成し、収納時の省スペース化を図っても良い。
ところで、前述した第１の実施例では、ライトガイド９０が内視鏡保持装置１に内装されていなかったが、このライトガイド９０を内視鏡保持装置１に内装することも考えられる。以下、この場合の構成の一例について詳述する。
【００３８】
図３に示すように、内視鏡７１からの映像信号を伝送するためにカメラユニット１７のＣＣＤから延びる信号ケーブル５８は、先端アーム部１５の内部を通って、ケーブル内蔵水平リンク１３の内部及びケーブル内蔵垂直リンク１４の内部に導かれて、リンクアーム部３の外部に延出されている。リンクアーム部３の外部に延出された信号ケーブル５８の末端部にはカメラコネクタ１９が設けられている。このカメラコネクタ１９は、モニタ６２に接続されたＴＶ−ＣＣＵ６１に対して着脱自在に接続できるようになっている。これについては第１の実施例において述べた通りである。
【００３９】
また、内視鏡７１に照明光を導くライトガイド９０も、信号ケーブル５８と同様に、先端アーム部１５の内部を通って、ケーブル内蔵水平リンク１３の内部及びケーブル内蔵垂直リンク１４の内部に導かれて、リンクアーム部３の外部に延出されている。そして、リンクアーム部３の外部に延出されたライトガイド９０の末端部にはライトガイドコネクタ４９が設けられている。このライトガイドコネクタ４９は光源装置６３に対して着脱自在に接続できるようになっている。
【００４０】
このようにしてリンクアーム部３の外部に延出された信号ケーブル５８とライトガイド９０は、ユニバーサルケーブル４８として一括されている。具体的には、例えば、ケーブル内蔵垂直リンク１４に接続されたマルチルーメンチューブ（ケーブル）の内孔に外部に延出された信号ケーブル５８とライトガイド９０とを挿通することによってユニバーサルケーブル４８が構成される。
【００４１】
図４は、図３の構成を成す内視鏡保持装置１の内視鏡側構成部における光学系を示したものである。
図４に示すように、内視鏡７１とカメラユニット１７との接合部は、フランジ６５として形成されている。カメラユニット１７には、内視鏡７１側のレンズ系７５及びライトガイド７４と対向するように、レンズ系５４及びライトガイド９０（９０ｂ）が配置されている。
【００４２】
内視鏡保持装置１内に配設されたライトガイド９０（９０ａ，９０ｂ）は、カメラユニット１７を通じて内視鏡７１の接眼部との当接面５１に達している。ライトガイド９０ｂは、当接面５１の近傍で、撮像素子５３に結像させるためのレンズ系５４を囲むようにしてドーナツ状に配置され、内視鏡７１内に配設されたライトガイド７４（これも同様にレンズ系７５を囲むようにしてドーナツ状に配置されている。）に対面している。
【００４３】
内視鏡７１は、そのマウント部７６を内視鏡取付部１８のマウント部材５５にねじ込み接続されており、カメラユニット１７に対して回転自在となっている。カメラユニット１７の手元側端面には、ビデオコネクタ３１とライトガイドコネクタ５７とが設けられており、先端アーム部１５と接続した際に、対向するビデオコネクタ３２及びライトガイドコネクタ５９と繋がるようになっている。この場合、ビデオコネクタ３２とビデオコネクタ３１の構成は図２で示したものと全く同一である。つまり、カメラユニット１７は先端アーム部１５から分離可能である。
【００４４】
なお、図４中、２８，６４，６６はＯリングであり、２９はカラーであり、５６はドライバであり、６０は回転リングである。
以上説明した構成によれば、ライトガイド９０が内視鏡保持装置１に内装されているため、内視鏡のセッティングがより簡単となる。
【００４５】
図５は、本発明の第２の実施例を示すものである。図示のように、本実施例の内視鏡保持装置１ａは、先端アーム部１５それ自体がカメラユニット１７になっており、このカメラユニット１７（１５）が固定リング２５を介してケーブル内蔵水平リンク１３に着脱自在に取付けられている。また、図示しないが、カメラユニット１７の内部は、湾曲部１６内のファイバーバンドルによって送られた光学像をユニット先端部３６に内蔵されたレンズ系を介してＣＣＤに結像させる構成になっている。ユニット先端部３６には、フォーカスダイアル３６ａと絞りダイアル３６ｂとが設けられている。なお、それ以外の構成は第１の実施例と同一である。
【００４６】
このように、本実施例の内視鏡保持装置１ａは、ケーブル内蔵水平リンク１３から固定リング２５を取り外すだけで内視鏡保持装置１からカメラユニット１７（先端アーム部１５）を分離することができるため、撮像系が故障したり機能不調状態に陥った場合に、カメラユニット１７の修理交換を容易に行なうことができる。
【００４７】
また、カメラユニット１７の交換が容易に行なえることができるため、ＣＣＤの技術進歩に対応して内視鏡保持装置の性能を向上させることができ、所望の性能を容易かつ低コストで得ることができる。
【００４８】
さらに、長尺なカメラユニット１７を外して収納すれば、省スペース化を図ることができる。
図６は、本発明の第３の実施例を示すものである。図示のように、本実施例の内視鏡保持装置１ｂは、先端アーム部１５の先端にカメラユニット４０を着脱するためのカメラユニット取付部４１が設けられている。このカメラユニット取付部４１は、カメラユニット４０の背面に設けられた取付フック４２を挿入可能な取付ガイド４３を有している。この取付ガイド４３には、取付フック４２の表面に設けられた孔（図示せず）と係合するピン４４が突設されている。このピン４４は、カメラユニット取付部４１の背面に取付けられたハンドル４５を引いたり離したりすることによって突没自在となっている。すなわち、ハンドル４５を引張ると、ピン４４がカメラユニット取付部４１内に没し、ハンドル４５から手を離すと、ハンドル４５が元の位置に引き戻されて、ピン４４がカメラユニット取付部４１の外側に突出する。
【００４９】
なお、カメラユニット取付部４１は、取付ガイド４３とハンドル４５とピン４４とが一体となって、第７の回転軸Ｏ７  を中心として回転可能となっている。
また、先端アーム部１５の先端側は、カメラユニット４０を取り付けた時にその光軸が先端アーム部１５の回転軸Ｏ６  を含む平面内に含まれるように、略Ｌ字型に形成されている。
【００５０】
また、先端アーム部１５と内視鏡７１との間は、先端アーム部１５に内蔵されたライトガイドと内視鏡７１に内蔵されたライトガイドとを接続するためのライトガイドケーブル１００によって接続されている。この場合、ライトガイドケーブル１００は先端アーム部１５に設けられたコネクタ４７に接続される。
【００５１】
また、先端アーム部１５とカメラユニット４０との間は、先端アーム部１５に内蔵された信号ケーブル５８とカメラユニット４０のＣＣＤから延びる信号ケーブル５８とを接続するための中継ケーブル１０２によって接続されている。この場合、中継ケーブル１０２の先端にはカメラユニット４０と接続するカメラコネクタ４６が設けられている。
【００５２】
なお、ライトガイドケーブル１００と中継ケーブル１０２は、カメラユニット４０回収時につっぱらないように、その長さが予め長めに設定されている。
したがって、上記構成によれば、撮像系が故障したり機能不調状態に陥った場合に、ハンドル４５を引張ることによって取付ガイド４３のピン４４と取付フック４２の孔との係合状態を解除すれば、カメラユニット取付部４１からカメラユニット４０を取り外すことができるため、カメラユニット４０の修理交換を容易に行なうことができる。
【００５３】
また、カメラユニット４０の交換が容易に行なえることができるため、ＣＣＤの技術進歩に対応して内視鏡保持装置の性能を向上させることができ、所望の性能を容易かつ低コストで得ることができる。
【００５４】
さらに、ライトガイドケーブル１００と中継ケーブル１０２の長さが予め長めに形成されているため、リンクアーム部３の長さが足りないために術部に十分に近付くことができない場合（例えば、腹腔鏡下胆のう摘出術（ラパコレ）で胆のうを摘出する場合において、内視鏡をトラカール間で移動させて反対側から観察する場合）でも、カメラユニット４０を外して使用すれば、ケーブル１００，１０２の余裕長分だけさらに術部に近付くことができる。
【００５５】
なお、以上説明してきた態様により、以下の項で示す各種の構成が得られる。
１．内視鏡を所望の位置に保持する保持手段と、前記保持手段に着脱自在に設けられ、内視鏡からの光学像を光電変換する撮像素子を備えた撮像手段と、少なくともその一部が前記保持手段の内部に配置され前記撮像素子によって得られた電気信号を伝送する信号伝送手段とを具備することを特徴とする内視鏡保持装置。
【００５６】
２．前記撮像手段は、少なくとも撮像素子と撮像素子への結像光学系を含むユニットとして構成されていることを特徴とする第１項に記載の内視鏡保持装置。
３．前記撮像手段が前記保持手段に対してネジによって着脱自在に接続されることを特徴とする第１項または第２項に記載の内視鏡保持装置。
【００５７】
４．前記撮像手段と前記保持手段との間をシールするシール手段が設けられていることを特徴とする第１項ないし第３項のいずれか１項に記載の内視鏡保持装置。
【００５８】
５．前記撮像手段と前記保持手段との接続は、これらのいずれか一方に設けられたガイド手段に沿って行なわれることを特徴とする第１項ないし第４項のいずれか１項に記載の内視鏡保持装置。
【００５９】
６．前記保持手段が、内視鏡を任意方向に向ける湾曲手段を有していることを特徴とする第１項ないし第５項のいずれか１項に記載の内視鏡保持装置。
７．前記保持手段は、これに保持される内視鏡の側とのバランスをとるカウンターバランス機構を備えていることを特徴とする第１項ないし第６項のいずれか１項に記載の内視鏡保持装置。
【００６０】
８．内視鏡に対して照明光を供給する照明光伝送手段が前記保持手段の内部に配設されていることを特徴とする第１項ないし第７項のいずれか１項に記載の内視鏡保持装置。
【００６１】
９．前記保持手段の内部に配設された前記照明光伝送手段と内視鏡内に配設された照明光伝送部とを接続する接続手段が前記撮像手段に設けられていることを特徴とする第８項に記載の内視鏡保持装置。
【００６２】
【発明の効果】
以上説明したように、本発明の内視鏡保持装置は、内視鏡のセッティング作業と、内蔵された電子撮像系の修理交換作業とを容易に行なうことができる。
【図面の簡単な説明】
【図１】本発明の第１の実施例に係る内視鏡保持装置の斜視図である。
【図２】図１の内視鏡保持装置におけるカメラユニットの接続部構造の要部断面図である。
【図３】図１の内視鏡保持装置の変形例を示す斜視図である。
【図４】図３の構成における内視鏡取付け部周辺の構造を示す断面図である。
【図５】本発明の第２の実施例に係る内視鏡保持装置の要部構成を示す斜視図である。
【図６】本発明の第３の実施例に係る内視鏡保持装置の要部構成を示す斜視図である。
【符号の説明】
１，１ａ，１ｂ…内視鏡保持装置、３…リンクアーム部（保持手段）、１５…先端アーム部（保持手段）、１７，４０…カメラユニット（撮像手段）、５８…信号ケーブル（信号伝送手段）、７１…内視鏡。
【図１】
0003619555.tif 000002
【図２】
0003619555.tif 000003
【図３】
0003619555.tif 000004
【図４】
0003619555.tif 000005
【図５】
0003619555.tif 000006
【図６】
0003619555.tif 000007